(57)【特許請求の範囲】
【請求項１】
電子機器であって、
電池を格納するための格納手段の蓋が開状態であるか閉状態であるかを検出する状態検出手段と、
前記格納手段に格納されている電池からの電圧を検出する電圧検出手段と、
前記蓋が開状態である場合に前記電圧検出手段によって検出された電圧と、前記蓋が閉状態である場合に前記電圧検出手段によって検出された電圧とに基づいて、前記格納手段に格納されている電池の種類を前記電子機器に入力するための所定の表示を表示手段に行わせるか否かを制御する制御手段と
を有する電子機器。
【請求項２】
前記蓋が開状態である場合に前記電圧検出手段によって検出された電圧と、前記蓋が閉状態である場合に前記電圧検出手段によって検出された電圧との差が所定値以上である場合、前記制御手段は、前記所定の表示を前記表示手段に行わせるための処理が行われるようにする請求項１に記載の電子機器。
【請求項３】
前記蓋が開状態である場合に前記電圧検出手段によって検出された電圧と、前記蓋が閉状態である場合に前記電圧検出手段によって検出された電圧との差が所定値以上でない場合、前記制御手段は、前記所定の表示を前記表示手段に行わせるための処理が行われないようにする請求項１または２に記載の電子機器。
【請求項４】
前記電子機器は、デジタルカメラとして動作する電子機器である請求項１から３のいずれか１項に記載の電子機器。
【請求項５】
電子機器であって、
電池を格納するための格納手段の蓋が開状態であるか閉状態であるかを検出する状態検出手段と、
前記格納手段に格納されている電池の内部抵抗値を検出する内部抵抗値検出手段と、
前記蓋が開状態である場合に前記内部抵抗値検出手段によって検出された内部抵抗値と、前記蓋が閉状態である場合に前記内部抵抗値検出手段によって検出された内部抵抗値とに基づいて、前記格納手段に格納されている電池の種類を前記電子機器に入力するための所定の表示を表示手段に行わせるか否かを制御する制御手段と
を有する電子機器。
【請求項６】
前記蓋が開状態である場合に前記内部抵抗値検出手段によって検出された内部抵抗値と、前記蓋が閉状態である場合に前記内部抵抗値検出手段によって検出された内部抵抗値との差が所定値以上である場合、前記制御手段は、前記所定の表示を前記表示手段に行わせるための処理が行われるようにする請求項５に記載の電子機器。
【請求項７】
前記蓋が開状態である場合に前記内部抵抗値検出手段によって検出された内部抵抗値と、前記蓋が閉状態である場合に前記内部抵抗値検出手段によって検出された内部抵抗値との差が所定値以上でない場合、前記制御手段は、前記所定の表示を前記表示手段に行わせるための処理が行われないようにする請求項５または６に記載の電子機器。
【請求項８】
前記電子機器は、デジタルカメラとして動作する電子機器である請求項５から７のいずれか１項に記載の電子機器。
【請求項９】
電子機器であって、
電池を格納するための格納手段の蓋が開状態であるか閉状態であるかを検出する状態検出手段と、
前記格納手段に格納されている電池からの電圧を検出する電圧検出手段と、
前記格納手段に格納されている電池の内部抵抗値を検出する内部抵抗値検出手段と、
前記蓋が開状態である場合に前記電圧検出手段によって検出された電圧と、前記蓋が閉状態である場合に前記電圧検出手段によって検出された電圧と、前記蓋が開状態である場合に前記内部抵抗値検出手段によって検出された内部抵抗値と、前記蓋が閉状態である場合に前記内部抵抗値検出手段によって検出された内部抵抗値とに基づいて、前記格納手段に格納されている電池の種類を前記電子機器に入力するための所定の表示を表示手段に行わせるか否かを制御する制御手段と
を有する電子機器。
【請求項１０】
前記蓋が開状態である場合に前記電圧検出手段によって検出された電圧と、前記蓋が閉状態である場合に前記電圧検出手段によって検出された電圧との差が所定値以上である場合と、前記蓋が開状態である場合に前記内部抵抗値検出手段によって検出された内部抵抗値と、前記蓋が閉状態である場合に前記内部抵抗値検出手段によって検出された内部抵抗値との差が所定値以上である場合とのいずれかにおいて、前記制御手段は、前記所定の表示を前記表示手段に行わせるための処理が行われるようにする請求項９に記載の電子機器。
【請求項１１】
前記蓋が開状態である場合に前記電圧検出手段によって検出された電圧と、前記蓋が閉状態である場合に前記電圧検出手段によって検出された電圧との差が所定値以上でない場合であり、かつ、前記蓋が開状態である場合に前記内部抵抗値検出手段によって検出された内部抵抗値と、前記蓋が閉状態である場合に前記内部抵抗値検出手段によって検出された内部抵抗値との差が所定値以上でない場合において、前記制御手段は、前記所定の表示を前記表示手段に行わせるための処理が行われないようにする請求項９または１０に記載の電子機器。
【請求項１２】
前記電子機器は、デジタルカメラとして動作する電子機器である請求項９から１１のいずれか１項に記載の電子機器。
【発明の詳細な説明】
【技術分野】
【０００１】
本発明は、電池の交換が可能な電子機器に関する。
【背景技術】
【０００２】
電子機器としてのデジタルカメラにおいては、旧来のフィルム撮影のカメラに比較して消費電流が大きいため、主電源には、電流の放電特性や経済性を重視して、リチウムイオン電池等の充電可能な２次電池を採用する場合が多い。
【０００３】
多くの場合、こうした２次電池は専用形状をしており、その電圧や電流の放電特性に応じて、カメラを正常動作させるための電池電圧の監視レベルの設定を行うことが可能である。また、電池電圧を監視する際に、必要に応じて所定の負荷通電をする場合のその通電量、或いは電源の供給能力に対応した動作速度や動作シーケンス等の設定を行うことが可能である。
【０００４】
一方で、こうした専用の２次電池を使うようなカメラにおいても、万が一の緊急時等のために単３型電池等の汎用電池が使えることも要望されている。
【０００５】
単３型電池等の汎用電池は、どこでも売っている等入手性は高い。しかし一方で、同一形状でありながらアルカリ電池、マンガン電池、リチウム電池、ニッケルマンガン電池、ニッカド電池、ニッケル水素電池等様々な種類のものが流通しており、電圧や電流の放電特性等も皆異なっている。
【０００６】
そのため、本来、カメラを正常動作させるための設定も電池の種類に応じて切り替えなければならない。しかしながら、カメラの電気回路が自動的に電池の種類までを判別するのは困難である。
【０００７】
上記問題点に鑑みて、特許文献１では、カメラに電池を装填すると電池の種類を入力するように促すカメラが提案されているが、電池投入時に毎回入力するのは使い勝手が悪い。
【０００８】
そこで、特許文献２では、入力した電池種類を登録可能とすることで、登録してない場合にのみ、電池種類を入力するように促すカメラが提案されている。
【特許文献１】特開２００３−００８９４４号公報
【特許文献２】特開２００６−０８４６６７号公報
【発明の開示】
【発明が解決しようとする課題】
【０００９】
しかしながら、一旦登録した電池種類から別種類の電池へ変更した場合に動作することができない等不具合が生じる可能性がある。例えば、カメラの動作禁止電圧が高い電池種類を登録した状態で、禁止電圧が低い電圧の電池を装填した場合、正しい電池種類が認識されていれば動作することが可能である。
【００１０】
しかし、登録している異なった電池種類と認識して動作禁止電圧等各種設定値を設定しているため、動作禁止電圧以下の場合には、電池種類の登録を変更することもできないといった不具合が生じる。
【００１１】
本発明は、電池が交換された場合に交換後の電池の種類を電子機器に入力できるようにすることを目的とする。
【課題を解決するための手段】
【００１２】
本発明に係る電子機器の一つは、電子機器であって、電池を格納するための格納手段の蓋が開状態であるか閉状態であるかを検出する状態検出手段と、前記格納手段に格納されている電池からの電圧を検出する電圧検出手段と、前記蓋が開状態である場合に前記電圧検出手段によって検出された電圧と、前記蓋が閉状態である場合に前記電圧検出手段によって検出された電圧とに基づいて、前記格納手段に格納されている電池の種類を前記電子機器に入力するための所定の表示を表示手段に行わせるか否かを制御する制御手段とを有する。
【００１３】
本発明に係る電子機器の一つは、電子機器であって、電池を格納するための格納手段の蓋が開状態であるか閉状態であるかを検出する状態検出手段と、前記格納手段に格納されている電池の内部抵抗値を検出する内部抵抗値検出手段と、前記蓋が開状態である場合に前記内部抵抗値検出手段によって検出された内部抵抗値と、前記蓋が閉状態である場合に前記内部抵抗値検出手段によって検出された内部抵抗値とに基づいて、前記格納手段に格納されている電池の種類を前記電子機器に入力するための所定の表示を表示手段に行わせるか否かを制御する制御手段とを有する。
【００１４】
本発明に係る電子機器の一つは、電子機器であって、電池を格納するための格納手段の蓋が開状態であるか閉状態であるかを検出する状態検出手段と、前記格納手段に格納されている電池からの電圧を検出する電圧検出手段と、前記格納手段に格納されている電池の内部抵抗値を検出する内部抵抗値検出手段と、前記蓋が開状態である場合に前記電圧検出手段によって検出された電圧と、前記蓋が閉状態である場合に前記電圧検出手段によって検出された電圧と、前記蓋が開状態である場合に前記内部抵抗値検出手段によって検出された内部抵抗値と、前記蓋が閉状態である場合に前記内部抵抗値検出手段によって検出された内部抵抗値とに基づいて、前記格納手段に格納されている電池の種類を前記電子機器に入力するための所定の表示を表示手段に行わせるか否かを制御する制御手段とを有する。
【発明の効果】
【００１５】
本発明によれば、電池が交換された場合に交換後の電池の種類を電子機器に入力することができる。
【発明を実施するための最良の形態】
【００１６】
以下、本発明の実施の形態を図面を参照しながら詳細に説明する。
【００１７】
図１は、本発明の実施の形態に係る電子機器としてのデジタルカメラのブロック図である。
【００１８】
以下、その構成を動作と併せて説明する。
【００１９】
図１において、複数種類の電池を装填可能な電池室を備えるデジタルカメラにおいて、電源回路部１は、電池２より電源供給を受け、安定化電源を生成して以下に説明する各回路構成要素を動作可能とする。電源回路部１は、負荷電流を検出可能な機能を備えている。また、電池２は、Ａ／Ｄ変換回路３にも接続されている。
【００２０】
制御部４は、デジタルカメラの全体制御を行う。制御部４は、検出した電池種類或いはユーザより入力された汎用電池の種類に応じて、電池電圧の監視レベルや動作速度、動作シーケンス等を設定する。即ち、制御部４は、入力された電池の種類に基づいて、デジタルカメラを制御する制御手段として機能する。
【００２１】
更に、制御部４は、Ａ／Ｄ変換回路３より得られた電池電圧からカメラ動作の可否を判別し、その結果を電源回路部１へ出力し、各回路構成要素への電源供給の制御を行う。
【００２２】
また、制御部４は、異なった負荷電流Ｉ１， Ｉ２及び、その時の電池電圧Ｖ１，Ｖ２を電源回路部１、Ａ／Ｄ変換回路３より取得することで、電池２の内部抵抗をＲ＝（Ｖ１−Ｖ２）／（Ｉ１−Ｉ２）式にて算出する。上記、電池２の内部抵抗算出方法を本実施の形態においてはＡ方式とする。
【００２３】
制御部４には、電池室を覆う電池蓋の開閉を検出する電池蓋開閉検出部５、単３電池判別部６及び操作部材７が接続されている。
【００２４】
ここで、電池蓋開閉検出部５は、電池室の蓋の開閉を検出する電池蓋開閉検検出手段として機能する。
【００２５】
また、Ａ／Ｄ変換回路３及び制御部４は、電池蓋開閉検出部５により電池蓋が開かれたこと、もしくは電池蓋が閉じられたことを検出した場合に電池室に装填されている電池の電圧を検出する電池電圧検出手段として機能する。Ａ／Ｄ変換回路３及び制御部４は、電池蓋開閉検出部５により電池蓋が開かれたときに検出した電池電圧と、電池蓋開閉検出部５により電池蓋が閉じられたときに検出した電池電圧とを比較する電池電圧比較手段として機能する。
【００２６】
また、電源回路部１、Ａ／Ｄ変換回路３及び制御部４は、電池蓋開閉検出部５により電池蓋が開かれたこと、もしくは電池蓋が閉じられたことを検出した場合に電池室に装填されている電池の内部抵抗値を検出する内部抵抗値検出手段として機能する。電源回路部１、Ａ／Ｄ変換回路３及び制御部４は、電池蓋開閉検出部５により電池蓋が開かれたときに検出した内部抵抗値と、電池蓋開閉検出部５により電池蓋が閉じられたときに検出した内部抵抗値とを比較する内部抵抗値比較手段として機能する。
【００２７】
単３電池判別部６は、電池２の外形形状或いは電源端子の接続位置の違いにより、装填された電池２が専用電池か汎用の単３電池かを判別する。操作部材７は、撮影（撮像）スイッチや再生スイッチ或いはカメラ動作の設定及び選択を行うためのスイッチ等の各種操作部材を含む。
【００２８】
制御部４は、電池蓋開閉検出部５によって電池蓋が開かれたことを検出した場合、或いは電池蓋が閉められたことを検出した場合、Ａ／Ｄ変換回路３により電池２の電圧を取得し、電池電圧が所定値以上の差がある場合には、電池交換が行われたと判断する。
【００２９】
撮像素子８は、光学像を電気信号に変換する、例えば、ＣＣＤ或いはＣＭＯＳ等の２次元エリアセンサから構成される。撮像素子８の出力は、ＣＤＳ／ＡＧＣ９でノイズリダクションとゲイン調整が実施され、Ａ／Ｄ変換回路１０でアナログ信号からデジタル信号に変換され、画像処理部１１に入力される。
【００３０】
画像処理部１１は、画像情報に対する色合い調整やコントラスト調整やエッジ強調（輪郭強調）等の画像処理を施し、また、記憶部１２に対して画像情報の記憶や読み出しを行うために画像情報の圧縮や伸長等の画像データの変換処理を行う。
【００３１】
記憶部１２は、例えば、半導体メモリや磁気ディスク、光ディスク等からなり、撮像された画像情報を記憶する。
【００３２】
画像処理部１１は、表示用画像情報を表示部１３に出力し、撮像された画像等がモニタ表示される。表示部１３は、液晶装置等であり、撮影画像、各種撮影情報、設定情報や電池の有無及び残量等を表示する。
【００３３】
表示部１３は、電池電圧比較手段による電池電圧の差が所定値以上の場合に装填電池の種類の入力を行うための表示を行う表示手段として機能する。
【００３４】
また、表示部１３は、内部抵抗値比較手段による内部抵抗値の差が所定値以上の場合に装填電池の種類の入力を行うための表示を行う表示手段として機能する。
【００３５】
また、表示部１３は、電池電圧比較手段による前記電池電圧の差、或いは内部抵抗値比較手段による内部抵抗値の差の少なくとも一方が所定値以上の場合に電池の種類の入力を行うための表示を行う表示手段として機能する。
【００３６】
画像処理部１１は、タイミングジェネレータ（ＴＧ／ＶＤＲ）１４を駆動して、撮像素子８に供給すべきクロック信号等を発生させる。
【００３７】
制御部４と画像処理部１１には、メモリ１５が接続されており、メモリ１５は、各種電池種類毎の設定データや入力された電池種類、電池蓋が開けられた時に取得した電池電圧の情報を格納している。また、メモリ１５は、提供すべきプログラムを格納し、また、撮影画像を一時的に格納するため、及び、作業領域としても使われる。
【００３８】
また、画像処理部１１は、画像の輝度や鮮鋭度に関する情報を制御部４に出力する。レンズ１６は、撮影（撮像）のための光学系であり、その絞りや焦点を調節するためのアクチュエータ１７を有する。アクチュエータ１７は、制御部４からの指示に基づき制御される。
【００３９】
レンズ１６を透過した被写体光は、光学ローパスフィルタ及び赤外カットフィルタを一体化した光学フィルタ１８を透過し、撮像素子８に露光される。
【００４０】
図２は、図１のデジタルカメラによって実行される電池判別処理の手順を示すフローチャートである。
【００４１】
本処理は、図１における制御部４の制御の下に実行される。
【００４２】
図２において、電池蓋開閉検出部５によって、電池蓋が開かれたことを検出した場合（ステップＳ２０１）、制御部４は、電源回路部１及びＡ／Ｄ変換回路３から装填されていた電池電圧を取得すると共に、上記Ａ方式にて電池内部抵抗を算出する（ステップＳ２０２）。
【００４３】
次に、取得した電池電圧（１）と算出した内部抵抗（１）と電池種類はメモリ１５に保存し（ステップＳ２０３）、シャットダウン処理を行い、デジタルカメラの動作を停止させる（ステップＳ２０４）。
【００４４】
電池蓋開閉検出部５によって、電池蓋が閉じられたことが検出された場合（ステップＳ２０５）、新しく装填された電池の電池電圧（２）と内部抵抗（２）のデータを取得する（ステップＳ２０６）。
【００４５】
ステップＳ２０７において、取得した電池電圧（２）が電池種類選択可能電圧（最低電圧）未満の場合にはステップＳ２０３へ戻り、再度電池蓋が閉じられるまで動作を停止する。取得した電池電圧（２）が電池種類選択可能電圧以上の場合にはステップＳ２０８へ移行する。
【００４６】
ステップＳ２０８において、単３電池判別部６により単３電池と判別された場合にはステップＳ２０９へ移行する。
【００４７】
ステップＳ２０９において、電池交換前の電池電圧（１）と電池交換後の電池電圧（２）を比較して、電圧の差が所定値未満の場合にはステップＳ２１０へ移行する。
【００４８】
ステップＳ２１０において、電池交換前の内部抵抗（１）と電池交換後の内部抵抗（２）を比較して、内部抵抗の差が所定値未満であれば、電池交換が行われなかったと判断し、ステップＳ２１６へ移行する。
【００４９】
ステップＳ２０９において、電圧の差が所定値以上の場合、或いはステップＳ２１０において、内部抵抗の差が所定値以上の場合には、電池交換が行われたと判断してステップＳ２１１へ移行する。
【００５０】
ステップＳ２１１において、電池電圧がステップＳ２０３によって保存された電池交換前の電池種類のカメラ動作禁止電圧以下の場合にはステップＳ２１６へ移行する。カメラ動作禁止電圧を超えている場合にはステップＳ２１２へ移行する。
【００５１】
ステップＳ２１２において、単３電池の種類を選択するために表示部１３に電池種類選択画面を表示する。電池種類選択画面の表示例を図３に示す。
【００５２】
ステップＳ２１３において、操作部材７によって電池種類が選択された場合にはステップＳ２１４へ移行する。
【００５３】
ステップＳ２１４において、選択された電池種類をメモリ１５へ保存し、ステップＳ２１６へ移行する。
【００５４】
ステップＳ２０８において、単３電池では無いと判別された場合にはステップＳ２１５へ移行する。
【００５５】
ステップＳ２１５において、電池種類を専用電池と判別してステップＳ２１６へ移行する。
【００５６】
ステップＳ２１６において、判別された電池種類に応じて、電池電圧の動作禁止レベルや動作速度、動作シーケンスを設定し、通常のカメラ動作を行う。
【００５７】
尚、本実施の形態において、電池蓋の開閉によって電池交換動作が行われると判断したが、電池交換動作が行われると判断できるものならば、この限りではない。
【００５８】
更に、本実施の形態においては、電池交換前後のデータとして電池電圧と内部抵抗の双方を用いて、電池交換時に電池種類選択画面を表示するか否かの判別を行ったが、電池電圧、内部抵抗それぞれのみのデータを用いて判別を行っても良い。
【００５９】
また本実施の形態においては、専用電池と複数種類の汎用電池が装填される構成としたが、汎用電池のみが装填される場合も含まれる。
【図面の簡単な説明】
【００６０】
【図１】本発明の実施の形態に係る電子機器としてのデジタルカメラのブロック図である。
【図２】図１のデジタルカメラによって実行される電池判別処理の手順を示すフローチャートである。
【図３】図１における表示部に表示される電池選択画面の表示例を示す図である。
【符号の説明】
【００６１】
１  電源回路部
２  電池
３  Ａ／Ｄ変換回路
４  制御部
５  電池蓋開閉検出部
６  単３電池判別部
７  操作部材
１３  表示部
１５  メモリ
【図１】
0005147524.tif 000002
【図２】
0005147524.tif 000003
【図３】
0005147524.tif 000004